(57)【要約】      （修正有）【課題】軽量でコンパクトに収納し携帯できる二輪車用三角停止表示板を提供する。【解決手段】三角停止表示板本体部１と脚部２、二輪車の車体と結束する結束部３により構成するものであり、三角停止表示板本体反射部に超高輝度反射テープ１２を用いて軽量化を図るとともに、三角形を構成する各辺を二分割（二片化）し全六片で三角停止表示板本体１を形成し折りたたんで携帯できるようにした。また脚部も伸縮式にし脚部下部両端には振り出し式の補強脚２５ａ〜２５ｄ二本を設け、各接地面にはゴム製の滑り止め２７を施し安定性を確保した。結束部には伸縮調整可能なネックストラップを取り付け、三角停止表示板を二輪車の車体の一部に結束することで設置時の安定性を補強する構造とした。【選択図】図１
0003183287.tif 000002
【実用新案登録請求の範囲】
【請求項１】
三角停止表示板本体部と脚部、二輪車の車体と結束する結束部により構成する二輪車用三角停止表示板であり、三角停止表示板本体部の反射部分には超高輝度反射テープ（プリズム等）を使用し、かつ三角形を構成する各辺をそれぞれ二分割（二片化）し三角形の頂点になる両端部以外については各片を連結し折りたたんで携帯できるようにした軽量でコンパクトな二輪車用三角停止表示板である。
【請求項２】
三角停止表示板本体部の頂点に連結用ジャンパーホックを用い三角停止表示板の形成、折りたたみを容易にした三角停止表示板である。
【請求項３】
連結用ジャンパーホックの裏面には、伸縮調整機能付きネックストライプを取り付け、三角停止表示板を設置する際に二輪車の車体の一部に結束することで安定性を補強することができる構造とした三角停止表示板である。
【請求項４】
脚部をスライド伸縮式にし、三角停止表示板本体部を形成して使用する際に、これを伸ばして三角形の底辺部になる一片に備えるマグネットで固定できるようにするとともに、脚部の両端下部に長さの異なる振り出し式の補強脚各二本を設け、各接地面にはゴム製の滑り止めを施して滑りを防止し安定性を確保した三角停止表示板である。
【考案の詳細な説明】
【技術分野】
【０００１】  本考案は、折りたたんで携帯することが出来る二輪車用三角停止表示板である。
【背景技術】
【０００２】  道路交通法により、高速道路で故障その他のやむ得ない理由により車両が停止した場合には三角停止表示板を表示しなければならないこととされているが、二輪車用に携帯できるコンパクトな三角停止表示板がなく、特に高速道路を利用する二輪車運転者が不便を感じていた。
【考案の概要】
【考案が解決しようとする課題】
【０００３】  二輪車専用の三角停止表示板の基準は道路交通法令に規定されているものの、現に製品として流通されているものはなく、二輪車の運転者は四輪車用の製品を利用しなければならない現状にある。しかし、四輪車用の製品は、大きくかつ重量があることから積載装置のない二輪車に積載することは困難であることから、リュック等のバックに入れて背負うことも二輪車運転者の負担になっている。そこで、軽量、かつ折りたたむことができコンパクトに収納することができる携帯型の三角停止表示板とすることで問題を解決しようとするものである。
【課題を解決するための手段】
【０００４】  本考案は、三角表示板の本体部及び路面に接地する脚部、二輪車の車体と結束する結束部により構成するもので、三角停止表示板の軽量化を図るため、三角停止表示板本体部の反射部分には超高輝度反射テープ（プリズム等）を使用することとし、かつ三角形を構成する各辺をそれぞれ二分割（二片化）し、三角形の頂点になる両端部以外については各片を連結し折りたたむことができるようにした。【０００５】  三角停止表示板本体部の頂点に当たる両末端にジャンパーホックを用い脱着することで、三角停止表示板の形成を容易にするとともに、折りたたみを可能にした。【０００６】  連結用ジャンパーホックの裏面には、結束部となる伸縮調整機能付きネックストラップを取り付けることで、三角停止表示板を路面に設置する際に二輪車の車体の一部に結束することができる構造とした。【０００７】  脚部をスライド伸縮式にして、折りたたんだ本体部を伸ばして三角停止表示板本体部を形成して使用する際に、底辺となる一辺を構成する一片と伸ばした脚部の一部をマグネットで固定できるようにするとともに、脚部の両端下部に振り出し式の補助脚を設けその接地部にゴム製の滑り止めを施すこととし設置の際の安定性を確保することとした。
【考案の効果】
【０００８】  上記のように、本考案の二輪車用三角停止表示板は、反射部分に超高輝度反射テープ（プリズム等）を活用し、各辺を折りたたむことができることとしたことから、軽量、コンパクトで携帯が可能なものとなり、二輪車のハンドルや座席シートにも容易に積載できるほか、二輪車に取り付けたタンクバックや運転者が背負うリュックにも容易に収納できることができ携帯しやすく、高速道路はもとより一般道において故障や事故の際に容易に三角停止表示板として使用することができ、後続車からの衝突事故などの防止に寄与することができる。
【図面の簡単な説明】
【０００９】
【図１】請求項１，２，３，４の実施形態による二輪車用三角停止表示板を説明するための正面図である。
【図２】上記二輪車用三角停止表示板の脚部の正面図である。
【図３】上記二輪車用三角停止表示板の脚部の平面図である。
【図４】上記二輪車用三角停止表示板の折りたたみ状況を説明するための平面図である。
【考案を実施するための形態】
【００１０】  本件三角停止表示板は、三角停止表示板本体部、脚部、結束部から構成するものであり、以下、添付図面及び試作品の写真にて実施例を説明する。
【実施例】
【００１１】  図１、図４は本考案の「二輪車用三角停止表示板」の全体を示すものであり、１は三角停止表示板本体部、２は脚部、３は結束部を示している。【００１２】  三角停止表示板本体部１は、図１，図４に示すように、蛍光性を有する合成樹脂からなる部材１１に、幅２．５ｃｍ以上の超高輝度反射テープ（プリズム等）１２を貼付したものであり、三角停止表示板本体部の各辺を二分割（二片化）して全六片で構成することとし、三角形の頂点になる部分以外の各片は結合部１３（リベット類）で連結することで容易に折りたたむことができるようにした。【００１３】  三角停止表示板本体部の頂点となる二辺の末端には連結用ジャンパーホック（１４ａ、１４ｂ）を取り付けて、これを留め又は外すことにより三角停止表示板本体部を形成し又は折りたたむことを容易にした。【００１４】  スライド伸縮式の脚部２は、図２、図３に示すように、２１及び２２の二本のアルミＬ材で基本として構成し、一方のアルミＬ材２１の中央部分にはスライドさせるための溝穴２３をあけ、外枠となるアルミＬ材２２との間にはワッシャ２４ｂを鋏みリベット等２４で固定して二本のアルミＬ材をスライドさせ伸縮することを可能にした。【００１５】  脚部の下部両端には、振り出し式の補強脚各二枚２５ａ、２５ｂ、２５ｃ、２５ｄをハトメ等で取り付け、三角停止表示板として使用する際に補強脚を前後に振り出することにより安定性を保つようにした。なお、振り出し式の補強脚はそれぞれの長さに長短を設け、脚部下に収納できるようにした。【００１６】  脚部の両端２７及び振り出し式の補強脚の下部２６ａ、２６ｂ、２６ｃ、２６ｄにはゴム材質の滑り止めを施し路面との摩擦係数を高めて滑りにくくした。【００１７】  三角停止表示板本体部１と脚部２は、図４に示すように本体部の三角形の底辺部分を構成する一片とリベット類２８により常に固定し、接地部を伸ばした際に三角停止表示板本体部の底辺の他の一片に備えたマグネット２９ｂとアルミＬ材の内側に備えた金具２９ａにより接続固定できるようにし安定性を確保した。【００１８】  結束部３は、図４に示すように、三角停止表示板本体部の連結用ジャンパーホックのメス側１４ａを圧着する際にその裏面に伸縮調整機能付きネックストラップの先端を同時に圧着取り付けておき、これを用いて二輪車の車体の一部との結束を容易にした。【００１９】  本件考案は上記のような構成であり、折りたたんでコンパクトに収納することができ、かつ超高輝度反射テープを用いることで軽量化を図り、二輪車運転者が本装置を容易に二輪車に積載し、又はリュック等に収納して携帯することができるものとした。
【符号の説明】
【００２０】１〜３  二輪車用三角停止表示板の構成
１  三角停止表示板本体部
１１  蛍光部材
１２  超高輝度反射テープ
１３  連結部（リベット類）
１４  結合用ジャンパーホック
２  脚部
２１、２２、２３  スライド式伸縮部
２４、２４ａ、２４ｂ  スライド部固定具
２５ａ、２５ｂ、２５ｃ、２５ｄ  振り出し式補強脚
２６ａ、２６ｂ、２６ｃ、２６ｄ  振り出し式補強脚滑り止め部
２７  振り出し式補強脚取り付け部兼脚部滑り止め部
２８  三角停止表示板本体固定部（リベット類）
２９ａ、２９ｂ  伸張時三角停止表示板補助固定部（マグネット類）
３  結束部
３１、３２  伸縮調整機能付きネックストラップ
【図１】
0003183287.tif 000003
【図２】
0003183287.tif 000004
【図３】
0003183287.tif 000005
【図４】
0003183287.tif 000006
【手続補正書】
【提出日】平成25年2月13日(2013.2.13)
【手続補正１】
【補正対象書類名】実用新案登録請求の範囲
【補正対象項目名】全文
【補正方法】変更
【補正の内容】
【実用新案登録請求の範囲】
【請求項１】
三角停止表示板本体部と伸縮式の脚部、二輪車の車体と結束する結束部により構成する二輪車用三角停止表示板であり、三角停止表示板本体部の反射部分には超高輝度反射テープを使用し、かつ三角形を構成する各辺をそれぞれ二分割し三角形の頂点になる両端部以外については各片を連結し折りたたんで携帯できるようにした軽量でコンパクトな二輪車用三角停止表示板。
【請求項２】
三角停止表示板本体部の頂点に連結用ジャンパーホックを用い三角停止表示板の形成、折りたたみを容易にしたことを特徴とする請求項１に記載の二輪車用三角停止表示板。
【請求項３】
連結用ジャンパーホックの裏面には、伸縮調整機能付きネックストライプを取り付け、三角停止表示板を設置する際に二輪車の車体の一部に結束して安定性を補強することができる構造としたことを特徴とする請求項２に記載の二輪車用三角停止表示板。
【請求項４】
脚部をスライド伸縮式にし、三角停止表示板本体部を形成して使用する際に、これを伸ばして三角形の底辺部になる一片に備えるマグネットで固定できるようにするとともに、脚部の両端下部に長さの異なる振り出し式の補強脚各二本を設け、各接地面にはゴム製の滑り止めを施して滑りを防止し安定性を確保したことを特徴とする請求項１〜３に記載の二輪車用三角停止表示板。